(57)【特許請求の範囲】
【請求項１】
基板、
前記基板上に位置されており指紋検知のために使用することが可能であり複数の行と複数の列とからなるアレイに配列されている複数個の位置検知装置、
前記複数個の位置検知装置を前記基板に画定されている複数個の区域の内のどの区域内に位置されているかに従って各々が複数個の位置検知装置を包含している該アレイにおける複数個の二次元的グループにセグメント化しているセグメント化手段、
人間の付属物が前記夫々の二次元的グループに隣接して配置されているか否かを夫々のグループ内の位置検知装置によって検知するための前記二次元的グループの各々に対して結合されている電子論理回路、
を有している装置。
【請求項２】
請求項１において、前記複数個の二次元的グループが少なくとも３個のグループを有している装置。
【請求項３】
請求項２において、前記二次元的グループが、第二グループを取囲んでいる第一グループ及び第三グループを取囲んでいる該第二グループを有している装置。
【請求項４】
請求項２において、前記二次元的グループが円形形状である装置。
【請求項５】
請求項１において、更に、初期的タッチ位置及び最後のタッチ位置を検知する回路を有している装置。
【請求項６】
請求項１において、更に、第一時間において前記表面上での人間の付属物の位置を検知し且つ前記第一時間の後の第二時間において前記人間の付属物の位置を検知する回路を有している装置。
【請求項７】
請求項１において、更に、
前記基板を支持するハウジング、
前記ハウジング内の電力供給源、
前記ハウジング内の送信器、
を有している装置。
【請求項８】
請求項７において、更に、
前記ハウジング内に設けられており、指紋検知アレイと、基準指紋パターンを格納するメモリと、前記アレイによって検知された指紋を前記メモリ内に格納されている基準指紋パターンと比較する回路とを具備している指紋識別回路、
を有している装置。
【請求項９】
自動車の機能を遠隔的に制御する装置において、
ハウジング、
前記ハウジングに結合されており且つそれによって支持されている半導体基板、
前記ハウジング内に設けられている電力供給源、
前記ハウジング内に設けられている送信器、
前記半導体基板内に位置されており、指紋検知のために使用することが可能であると共に、前記半導体基板に画定されている複数個の区域の内のどの区域内に位置されているかに従って複数個の二次元的グループにセグメント化されており複数の行と複数の列とに配列されている複数個の位置検知装置、
各二次元的グループへ結合されており人間の付属物が前記二次元的グループに隣接しているか否かを前記グループ内の位置検知装置によって検知する回路、
を有している装置。
【請求項１０】
請求項９において、更に、
その上に配置された指紋の識別を検知するために前記半導体基板へ結合されている指紋識別回路、
を有している装置。
【請求項１１】
請求項１０において、前記指紋識別回路が、
複数個の基準指紋検知パターンを格納しているメモリ、
前記基板上に配置された指紋のパターンをメモリ内に格納されている指紋パターンと比較する比較回路、
入力指紋パターンと前記メモリ内に格納されている指紋パターンとの間の一致の表示する出力回路、
を有している装置。
【請求項１２】
請求項１１において、更に、前記出力回路へ結合されており、指紋入力パターンが基準指紋パターンと一致した後においてのみ前記送信器をして選択したコマンドを送信させることを可能とするイネーブル回路を有している装置。
【請求項１３】
請求項９において、更に、
自動車、
前記送信器からの入力を受取るために前記自動車に装着されている受信器回路、
を有している装置。
【請求項１４】
指紋検知のために使用することが可能であり複数の行と複数の列とに配列されている複数個の位置検知装置を具備している基板を使用してユーザの指からの入力を検知する方法において、
前記複数個の位置検知装置を前記基板に画定されている複数個の区域の内のどの区域内に位置されているかに従って各二次元的グループが複数個の位置検知装置を包含している該アレイにおける複数個の二次元的グループにセグメント化し、
少なくともユーザの指が夫々の二次元的グループに隣接して配置されるか否かを夫々のグループ内の位置検知装置で検知することにより前記基板上のユーザの指の第一タッチ位置を検知し、
少なくともユーザの指が夫々の二次元的グループに隣接して配置されるか否かを夫々のグループ内の位置検知装置で検知することにより前記基板上の前記第一タッチ位置から離隔したユーザの指の第二タッチ位置を検知し、
前記第一及び第二タッチ位置の入力シーケンスをメモリ内に格納されている１組の基準シーケンスと比較し、
前記入力シーケンスと前記基準シーケンスとの間の一致の有無を出力し、
前記一致の有無に基づいて予めプログラムされている少なくとも１個の機能を実行する、
方法。
【請求項１５】
請求項１４において、更に、
前記基板上に配置された指の指紋パターンを受取り、
前記指紋パターンを複数個の格納されている基準パターンと比較し、
前記指紋パターンと格納されている基準パターンとの間の一致を表す信号を出力し、
前記指紋パターンと基準パターンとの間に一致が見つかった後においてのみ前記予めプログラムされている少なくとも１個の機能の内の少なくとも１個の第１機能を実行する、
方法。
【請求項１６】
請求項１４において、更に、
前記基板上に配置された指の指紋パターンを受取り、
前記指紋パターンを複数個の格納されている基準パターンと比較し、
前記指紋パターンと格納されている基準パターンとの間に一致があるか否かを表す信号を出力し、
前記指紋パターンと基準パターンとの間に一致が見つかる前に前記予めプログラムされている少なくとも１個の機能の内の少なくとも１個の第２機能を実行することを許容する、
方法。
【請求項１７】
請求項１５又は１６において、更に、自動車においての選択した機能を実行させるために前記基板に隣接した位置から実行すべき機能を表すコードを自動車へ送信する、
方法。
【請求項１８】
請求項１７において、実行される機能のうちの１つが自動車のドアをロックすることである方法。
【請求項１９】
請求項１８において、自動車のドアをロックする機能が一致が見つかる前に実行することが許容される方法。
【請求項２０】
請求項１５において、前記第１機能が自動車のドアをアンロックさせることである方法。
【請求項２１】
請求項１４において、更に、
前記基板の表面の下部部分において第１タッチが発生したか否かを検知し、
前記基板の表面の上部部分において最後のタッチが発生したか否かを検知する、
方法。
【請求項２２】
請求項１４において、更に、
前記基板の表面の中央部分において、第一タッチが発生したか否かを検知し、且つ
前記基板の表面の外側部分において最後のタッチが発生したか否かを検知する、
方法。
【発明の詳細な説明】
【０００１】
【発明の属する技術分野】
本発明は手を使用するコマンドインターフェース技術に関するものであって、更に詳細には、コマンド入力としても機能する指紋検知装置及び方法に関するものである。
【０００２】
【従来の技術】
現在のところ、自動車はキー、ドアハンドル及びその他の機械的な施錠及び解錠装置によって自動車を開閉し、施錠及び解錠している。今日、ボタンを具備したハンドヘルドの遠隔装置を自動車に対して使用することが可能である。各ボタンは特定のコマンドに対応している。現在のところ、コマンド毎に１つのボタンが存在しており、最も一般にコマンドは、ドアロック、ドアアンロック、トランク解錠、アラームセット又は警笛鳴動などがある。ユーザは特定のコマンドを実行し且つ特定のコマンドを自動車に送るために特定のボタンを押し下げる。
【０００３】
現在使用されている遠隔装置はユーザを区別するものではない。例えば、自動車の所有者が遠隔装置を落とすか又は喪失した場合には、通行人がその遠隔装置を拾う場合があり、それは、通常、キーが取付けられている。その遠隔装置を保持する人はドアをアンロックしたり、警笛を鳴動させたり、又はコマンドキーによって許容されるその他の機能を実行することが可能である。このことは自動車のセキュリティが著しく阻害される場面を発生することがある。
【０００４】
以前は、キーのみを喪失した場合には、そのキーを見つけた人は多数の自動車について物理的にそのキーをテストすることが必要とされ、且つ大きな駐車場においては、そのキーとマッチングする自動車を見つけることは困難であるか又は不可能である。現在の遠隔コマンド装置の場合には、その遠隔装置を拾った通行人が警笛を鳴動させたり、ライトを点けたり、又は自動車から離れて識別するその他の機能を実行することが可能である。例えば数百フィート又はそれ以上離れた距離であっても、遠隔装置を所持しているものがコマンドボタンを押し下げそのキーと一致する自動車を識別することが可能である。このことは自分自身の自動車に近づきつつあるユーザにとっては便利なことであるが、誰でも容易に駐車場を行き来して、その遠隔装置に対応する自動車を探し出すためにコマンドボタンを押し下げることが可能である。従って、遠隔装置を取得し且つ自動車を盗むためにそれを使用する盗人にとって利点を与えることとなる。
【０００５】
【発明が解決しようとする課題】
本発明は、以上の点に鑑みなされたものであって、上述した如き従来技術の欠点を解消し、改良した指紋検知装置及び自動車用の遠隔装置及び遠隔操作方法を提供することを目的とする。
【０００６】
【課題を解決するための手段】
本発明の原理によれば、その上の特定の位置における人間の付属物の位置を検知する検知装置が提供される。特に、センサ上の指の存在を検知する指紋センサが提供される。更に、センサ上に指が存在することを識別すると、入力指紋と前に格納した指紋との間にマッチ即ち一致が存在するか否かを決定するための指紋認識を実行する。
【０００７】
指紋センサは、その上に、複数個の検知装置が設けられている。これらの検知装置は電気的に接続されており且つ指紋センサ上の選択した位置に位置されているグループに編成されている。例えば、１つのグループは左側に位置されており且つ他のグループが右側に位置されている。一方、これらのグループは上下又はその組合わせに位置させることが可能である。１実施例においては、これらのグループは中心から外側に向かって同心リング状に位置されている。
【０００８】
ユーザがその上に指を配置させることによって指紋センサを活性化させ且つ権限を有するユーザであるとして識別されると、同一の指紋センサを介して制御コマンドを入力することが可能である。これらのコマンドは指紋検知装置上で指を選択したパターンで移動させることによって入力される。例えば、上から下への移動はライトを点けるか又はドアをロックするためのコマンドとして解釈することが可能である。左側から右側への移動はドアをアンロックすることとして解釈することが可能である。
【０００９】
本発明の原理によれば、指紋センサが自動車送信器を有するハウジング内に位置されている。自動車は販売され且つユーザのＩＤでプログラムされている送信器とマッチングされる。その後に、ユーザが自動車へコマンド入力を与えることを所望する場合には、ユーザは最初に指を適用して権限のあるユーザであるものとして指紋を認識させる。システムがそのユーザが権限のあるユーザであるとして認識した後に、ユーザは自動車によって実施させるために種々のコマンドをシステムへ入力することが可能である。例えば、ユーザはドアをロックさせるか又はアンロックさせるか、ライトを点けるか、シート位置を選択した位置へ移動させるか、アラームを設定するか、アラームをターンオフさせるか、又は多数のその他の機能を実行させることが可能である。
【００１０】
本発明の１実施例によれば、ある機能は指紋認識の前に実施することが可能である。例えば、タッチする人のＩＤに拘わらずに、ある位置においてセンサをタッチするだけでシステムが自動車のロックを行うことを可能とすることが可能である。このことは警笛を設定したりライトを消灯したりするその他の選択した機能に対しても行うことが可能である。これらは、自動車のセキュリティ又は動作に悪影響を与えることのない種類の機能である。正に、それらは自動車のセキュリティを向上させ且つ再確認する動作のグループとすることが可能である。ある種のその他の機能は有効な指紋であることが検知され且つ認識された後に実行することが可能であるに過ぎない。例えば、ドアのアンロック、警笛のターンオフ、及びシートを適切な位置へ設定すること等の機能は、全て、権限のあるユーザが指紋パターンを与え且つその機能を実施する前にマッチング即ち一致が判明することを必要とする。
【００１１】
本発明は単に自動車の種類のみでなくそれを超えて使用することが可能である。例えば、それは、ハウスエントリシステム、ガレージドア開閉システム、ライトの点灯、又は機能を実行する前にユーザのＩＤが確認されることが所望される場合のその他の多数の選択した機能に対して使用することも可能である。
【００１２】
【発明の実施の形態】
図１は本発明の原理に基づくコマンドシステム１０を示している。コマンドシステム１０は、送信システム１２と受信システム１４とを有している。受信システム１４は通常埋設しており且つ裸眼に対しては見ることが不可能な電子受信器１８を有している。この場合には、受信システム１４は自動車として示してある。然しながら、例えばガレージ、ドア、家庭、ライト又はオフィス等のユーザのセキュリティが所望される任意のその他の受信装置とすることが可能である。
【００１３】
ユーザ１６は受信装置１４へ選択したコマンドを送り且つ所望の機能を実行させるために送信装置１２を使用する。送信装置１２はアレイの一部として複数個の位置検知装置を具備する指紋検知システムを有している。指紋検知装置は当該技術分野において公知であり且つ任意の指紋又は位置検知装置を使用することが可能である。例えば、指紋検知装置の例としては米国特許第５，９７３，６２３号において記載されており、その特許を引用によって本明細書に取込む。
【００１４】
検知システム１２は図８及び９に最も良く示されるような複数個の位置検知装置を有している。図８及び９を参照して指紋検知技術について簡単に説明する。図８に示したように、複数個の位置検知装置２が基板１上においてアレイ状に編成されている。検知装置２は半導体基板内に形成されており、従って、例えば数百個又は数千個のものが単一の基板１内に設けられるように小型のものである。それらは説明の便宜上図８においては拡大した形態で示してある。図９に示したように、ユーザが基板１に隣接して指１８を配置させると、指紋検知装置２が検知装置２と相対的な指１８の位置を決定する。特に、それは指紋の山又は谷又はその他の何等かの特徴が位置センサ２と隣接しているか否かを検知する。従って、それは山又は谷のいずれかが存在するか否かを検知するのみならず、指１８が検知装置２への入力を登録するために充分に近いものであるか否かを検知する。
【００１５】
指１８が基板１上に配置されると、垂直スキャンユニット６及び水平スキャンユニット５と関連して論理ユニット７が個別的な検知装置２において検知動作を実施させる。検知装置２は信号を発生し且つそれを出力８へ送信する。次いで、該信号をモニタして以下に説明するようなその他の機能を実行する。
【００１６】
電力供給源１２０が基板１１へ調整した電力を供給するために設けられている。該電圧供給源が電力調整器トランジスタのみを有するものである場合には、それは同一の基板１上であるか又は後に説明するように別体の基板上に設けることが可能である。当然、電力供給源自身、例えばバッテリ又はその他の電圧供給源９５は該基板上に位置されるものではなく、図４及び５に関して示されているように他の場所に位置されるものである。
【００１７】
指１８の実際の検知動作は、指１８の位置を検知するためのコンデンサの２つのプレート２３，２４を包含する図９の回路を使用する１実施例に従って実施される。フィードバック増幅器１３も設けられており、それは入力１６及び論理ユニット７に従って制御されるリセットスイッチ１９を有している。電力供給源９５を介してノード２１から基準電圧へ充電される入力コンデンサ２０を使用することが可能である。
【００１８】
指の存在、特に山及び谷の存在を検知する回路は、任意の許容可能な検知技術によって実施することが可能であり、且つ図９に示した特定の回路を使用することが必要とされるものではない。全てのセンサセル２からの信号が解析され且つ格納されている組の基準指紋パターンと比較されてマッチング即ち一致するか否かの判別が行われる。マッチング即ち一致が見つかった場合には、マッチング即ち一致を表す信号が出力される。本発明に基づく検知動作を実施するための１つの好適な実施例の例示としてのみ与えられている。任意の現在許容可能な指紋検知又は位置検知装置を図９に示したものの代りに使用することが可能である。図９の回路の完全な動作および詳細な説明は米国特許第５，９７３，６２３号において記載されている。
【００１９】
図８を参照すると、検知装置２は選択した配列に従ってグループ化させることが可能である。このグループ化はハードウエアか又はソフトウエアによる電子的スイッチング又は電子的コンフィギュレーション即ち形態特定によって行うことが可能である。図８に示した実施例は図２Ｃに示したものに対応しており、個別的な位置検知装置２は図２に示してあるが説明の便宜上図２Ｃには示していない。特に、図２Ｃに示したように、検知装置２からなるアレイは４個の予め設定したグループ３２，３４，３６，３８にグループ化されている。これらのグループは４つの象限のうちのいずれか１つにおいての指の存在を検知するために電子的にセグメント化されている。例えば、指が象限３８内に存在するものであるが象限３４及び３２には存在しない場合には、特定の信号が出力される。同様に、指が象限３２内に存在するが象限３６又は３８内に存在しないことを意味する出力が供給される。電子的スキャニング及び指の有無の検知は、水平及び垂直スキャンライン又は公知の多数の使用可能な技術のうちの任意のものを使用して図８に示した如く実施される。象限内においての指の有無を単に認識することが許容可能であり、指紋の識別を行うことは必要ではない。セル２は単に位置検知装置として使用され且つ指紋識別のために使用されるものではない。従って、指紋検知のために前に使用された同一のセンサ２及び回路が、現在は、位置検知のために使用される。
【００２０】
図２Ｂは本発明の原理に基づいてセル２をセグメント化する別の好適実施例を示している。アレイ１は上部グループ４０と下部グループ４２とにセグメント化されている複数個の検知装置２を有している。更に、それらは右側グループ４４と左側グループ４６とにセグメント化されている。セクション４２内にユーザの指が存在することはユーザの指がセクション４０内に存在することから容易に区別することが可能である。同様に、セクション４４及び４６は互いに容易に区別することが可能である。図２Ｂは異なるグループ４８に編成された位置検知装置の複数個のグループを具備している更に別の実施例を示している。図１の実施例によれば、位置検知装置２のグループの８つの異なるセグメントが存在している。グループの数は１乃至８又はそれ以上の範囲にわたる任意の所望の数とすることが可能である。例えば、１実施例においては、単に２つのグループ、上側及び下側、又は左側及び右側が図２Ｂ及び図２Ｃを見ることによって容易に理解されるように与えられるものであるが、この実施例は図示していない。同様に、左側及び右側は、上側及び下側をグループへセグメント化するソフトウエアエレクトロニクスによって結合させることが可能である。
【００２１】
図２Ｅは位置検知装置２の同心円状のグループ化を示している。特に、それは中心グループ５０と、グループ５０を取囲んでおりかつその外側にある１つの外側リング５２と、グループ５２を取囲んでおり且つその外側にある更に外側のリング５４とを有している。図３を参照して説明するように、極座標方法又は円形状のグループはあるタイプの入力を与えるために特に有用なものである。
【００２２】
図３は基板１上での指１８の移動に対する可能な入力コマンド方向５６及び５８を示している。矢印５８によって示されるように、ユーザはセンサ１上の任意の位置において、例えば底部、中央、上部近くの位置において親指を左側から右側へ移動させることが可能である。一方、図２Ｅの極座標実施例が使用される場合には、ユーザは親指を上から下又は中央から外側へ移動させることが可能である。図３は、矢印５６で、第一タッチ位置及び最後のタッチ位置の概念を例示している。矢印５６の終わりを観察することによって理解することが可能であるように、ユーザの指は、最初に、中央部分、即ちグループ５０においてアレイ２をタッチしている。次いで、ユーザの親指は中央部分から４５度の方向で上方へ移動し、２個のセグメント、即ちセグメント５２及び５４を横切っている。この矢印によって示されるように、ユーザの親指は、例えば、図２Ｅを参照して理解されるように、セグメント５４の右上角部において基板１から離れている。同様に、矢印５８はユーザが基板１の中央部分を横断して親指を水平方向左側及び右側へ移動させた場合を表しており、ユーザの親指はこの移動期間中左側及び右側の両方において上方へ移動してセンサの範囲外へ移動している。
【００２３】
本発明の原理によれば、ユーザは単に親指又はその他の指の移動を使用してシステムへコマンドを供給することが可能である（殆どの実施例においては、ユーザは本発明に対して使用するのに親指が最も有用な指であることを理解するが、このことはその他の指及びその他の識別可能な体の付属物を使用することを排除するものではない）。センサシステム１２はその中に予めプログラムされている複数個のコマンドを格納しており、そのうちのサンプルについて説明する。このサンプルの場合には、センサは自動車と共に使用される。該センサは、指が基板と接触されると、第一タッチの位置を認識し、且つ最後のタッチの位置をその指が基板から離れる場合に認識される。センサは、又、指が基板上にある間に、１つの位置又は別の位置への移動を認識する。ユーザ、コマンド及びこのようなコマンドに対する入力はシステムデザイナ又はユーザによって選択されるように任意の所望のコンフィギュレーション即ち形態とすることが可能である。例えば、ユーザが下部部分においてタッチパッドへエンターし且つ上部部分においてそれから出る場合には、親指が下から上へ移動したものと予測される。このことは自動車がロックされるべきであることを表すことが可能である。ユーザが指を上から下へ移動させた場合には、そのことは自動車がアンロックされるべきであることを表すことが可能である。左から右への移動はライトを点灯するためのコマンド入力を与えることが可能であり、一方右から左への移動はライトを消灯させることが可能である。
【００２４】
エンターすることの可能な更に有用なコマンドの中で、自動車に乗りこもうとするユーザのＩＤと一致するシート即ち座席位置を設定するものがある。その他のカスタム特徴としては、ラジオを正しいステーションへセットすること、ハンドルを適切な位置へセットすること、又はユーザにとって特定のその他のコマンド等がある。その他の許容可能な任意の数のコマンド、例えばウインドウの開閉、１つ又はそれ以上の特定の選択したウインドウの開閉、アラームシステムの着装、アラームシステムの脱装、その他個々において取り上げる必要性のない多くのコマンドを実施することが可能であるが、それらは、全て指紋センサシステムを使用したコマンドインターフェースの概念に包含されるものである。
【００２５】
指紋検知システムの動作方法について図３，４，８を参照して以下に説明する。ユーザが指１８を、図４及び８に示したような検知装置２を包含する基板１へ近づける。システムがパターンマッチング用の認識シーケンスを実行して、指紋が権限のあるユーザのものに対して以前に格納されている指紋のパターンとマッチング即ち一致するか否かを判別する。マッチング即ち一致が存在する場合には、制御器７が例えば前述したもののような選択したグループの機能の入力を正当なものとして評価する。例えば、権限を有するユーザの正確な識別に続いて、ユーザは指の移動を行って自動車に近づきながらドアをアンロックさせることが可能である。次いで、指を移動させて座席を選択した位置へ変化させることが可能であり、そのことは、ユーザのＩＤが指紋から分かるので、個別的にカスタムプリセットされている。センサアレイ２を横断しての親指の移動によってその他のコマンドを入力させることにより、加熱か又は冷却の所望の温度制御システム、ラジオステーション、又は自動車が始動されるや否や動作を開始させるその他のカスタム詳細を入力することが可能である。理解されるように、指紋の識別に続いて多数のその他の機能を実施することが可能であり、例えばアラームシステムをイネーブルさせるか又はディスエーブルさせること、ライトを点灯又は消灯すること、又はそのうちの幾つかは特定のユーザに対してカスタム化されているその他の選択された機能を実施することも可能である。
【００２６】
本発明の原理によれば、指紋識別の前に又はそれを行わずに多数の機能を実施させることが可能である。例えば、自動車はそれ自身ロックし、又は権限のない使用が試みられる場合にはライトを消灯するものであることが望ましい。従って、本発明に基づく機能のうちの幾つかは指紋識別が行われる前に実施される。この場合に、指紋検知を行うのと同一のセンサ要素２が使用される。例えば、本発明の原理によれば、自動車のロックはアレイを横断しての選択した位置においての移動が行われることに加えてアレイを横断しての指のランダムで迅速な移動によって実施させることが可能である。同様に、アレイ上に指を繰返し保持することによってライトを消灯させることが可能である。これらの機能は静かな態様で実施することが可能であり、従って指紋認識の前に自動車が自動的にロックされる場合に警笛が鳴動されることはない。同様に、ウインドウを閉じ、ライトを消灯させ、又はその他の基本的な機能を指紋検知の前にシステム１２を保持する人によって実施させることが可能である。然しながら、ある選択した機能を実施する前に指紋の識別が必要とされる。
【００２７】
機能の安全／非安全グループ化の有用性は以下の説明により理解することが可能である。例えば、本発明は装置が駐車場においてユーザのポケットから落ちたものと仮定する。その装置を拾った通行人が自動車を探し出し且つ盗むためにその自動車を活性化させるべく試みる場合がある。その人がアレイ上に指を配置させると、その場合に行うことが可能な唯一のことは自動車をより安全なものとさせるものであって、例えばドアをロックすること、アラームを設定すること、又は権限のないユーザが繰り返し侵入を試みることを自動車システムに警告すること等があり、従って自動車をより安全性の高いものとさせることが可能である。例えば、指紋を認識することが繰返し失敗した後に、それは自動車からセキュリティ会社へ無線送信器を介して警告を送ることが可能であり、従ってセキュリティ会社は誰かが自動車を盗もうとしていることをその自動車の所有者に警告することが可能である。更に、ユーザは例えば息子又は娘等の家族の構成員へキーを手渡し且つ遠隔装置を使用して自動車をロックすること、ライトを消灯すること及びウインドウを閉めることを頼むことが可能である。その人はその自動車の権限を有する運転者であることは必要ではなく、従って彼等の指紋パターンは権限を有するユーザのパターンと一致するものではない。然しながら、彼等は、例えば、ドアをロックすること、窓を閉めること及びアラームシステムを活性化させること等のルーチンの機能を実施することが可能である。
【００２８】
図４及び５はコマンドインターフェースシステム１２に対する可能性のあるコンフィギュレーション即ち形態を示している。ハウジング６０がその上に形成されているセンサ装置２からなるアレイ３を具備している基板１を有している。プリント回路基板６２が物理的な機械的支持及び電気的接続を与えるために基板１を支持している。防水シール６４が、センサアレイ３が気候条件又はその他の戸外の悪条件によって損傷されることがないことを確保している。ハウジング６０は電力供給源９５及び送信及び／又は受信ユニット１１０を有している。例えば、受信ユニット１１０は、例えばユーザを加えること、ソフトウエアコマンドを変更すること等のカスタム化制御を受付けるために使用することが可能である。
【００２９】
制御器７がＰＣボード６２へ接続しており、且つ図示例においては、後ろ側であるが同一のＰＣ基板へ接続している。ハウジング６０は、又、電力供給源、プリント回路基板６２、送信器／受信器を正しい配向状態で支持し且つ保持するために、図示していない適宜の装着手段を有している。図４の実施例によれば、検知、認識、コマンドシーケンス、基準指紋パターン等の格納を行うための回路を制御器７が有している。
【００３０】
図５は図４の装置の変形実施例を示している。この変形実施例によれば、ハウジング６０は電力供給源１００と送信器１１２とを有している。この実施例においては、同一の基板１がセンサアレイ２と、制御器７に対するエレクトロニクスとを有している。従って、単一の集積回路には、センサ要素、送信器駆動回路、及び認識ユニット及び送信器を駆動するためのエレクトロニクスが設けられている。幾つかの実施例においては、図４に示したように、制御論理及び駆動送信器回路を別体のスタンドアローン基板に設けることが望ましいが、その他の実施例においては、同一の基板１上において単一の集積回路として有することが好適である。
【００３１】
図６は図４に示したような本発明に基づく回路の概略図を示している。制御器７は前述したような水平スキャン、垂直スキャン、出力センサ等を包含する適宜の駆動論理及びセンサセル２を包含するセンサ論理６８へ接続している。それは、又、認識論理６９へ接続しており、それは前述したようなコマンドシーケンスのみならず基準指紋パターンを格納する適宜のメモリを具備している。電力供給源９５は本明細書において説明したような種々の機能の調整を行うマイクロプロセッサの形態における中央制御回路７０を介してパワー即ち電力を供給する。
【００３２】
図７は図５に示したような本発明の別の実施例を示している。この実施例によれば、制御論理７０は、その中に、センサ回路、認識回路、メモリ回路、その他の必要な構成要素の全てを有している。複数個のセンサ要素２を包含するセンサアレイ３が同一の半導体基板の異なる部分に設けられている。送信器１１２の制御は基板１上に設けられている制御論理７０から直接的に駆動される。
【００３３】
以上、本発明の具体的実施の態様について詳細に説明したが、本発明は、これら具体例にのみ制限されるべきものではなく、本発明の技術的範囲を逸脱することなしに種々の変形が可能であることは勿論である。
【図面の簡単な説明】
【図１】  自動車に関連した本発明の使用態様を示した概略図。
【図２】  （Ａ）乃至（Ｅ）は本発明の原理に基づいて基板上の検知装置の種々のグループ化を示した各概略図。
【図３】  本発明の原理に従って検知することが可能な指の移動方向を示した概略図。
【図４】  本発明の原理に基づくハウジング及びセンサを示した一部切除概略断面図。
【図５】  図４のハウジングの変形実施例を示した概略図。
【図６】  本発明の原理に従って使用する回路を示した概略図。
【図７】  本発明の原理に従った回路の変形実施例を示した概略図。
【図８】  指紋検知装置の構成を示した概略図。
【図９】  従来技術に基づく指紋センサを示した概略図。
【符号の説明】
１  基板
２  検知装置
７  論理ユニット
１０  コマンドシステム
１２  送信システム
１４  受信システム
１６  ユーザ
１８  電子受信器
１８  指
１９  リセットスイッチ
２３，２４  プレート
１２０  電力供給源
【図１】
0004814424.tif 000002
【図２】
0004814424.tif 000003
【図３】
0004814424.tif 000004
【図４】
0004814424.tif 000005
【図５】
0004814424.tif 000006
【図６】
0004814424.tif 000007
【図７】
0004814424.tif 000008
【図８】
0004814424.tif 000009
【図９】
0004814424.tif 000010